【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】
各々がユーザ識別子を持つ、規定されたユーザ・グループの個々のユーザの間で、財産の取引をサポートするための電子取引サポートシステムであって、
（ａ）レコードのデータベースを備えるレジストリであって、各レコードは、１つの取引をサポートし、かつユーザを指名できる複数のフィールドを含み、各レコードは、前記取引の基礎となる前記財産に関連する指名された前記ユーザの権利および義務を反映し、各レコードは、少なくとも１つのフィールドを含み、そのフィールドにおいて、ユーザの一つが指名されて、そのレコードに関してのそのユーザの所有権と、その所有権を別のユーザに渡すための独占的な権利とが表明され、前記少なくとも１つのフィールドはホールダー・フィールドを含む、レジストリと、
（ｂ）前記ユーザから送信されたメッセージを受信するように構成されたメッセージ・ハンドリング・ユニットであって、前記メッセージは、送信側ユーザのユーザ識別子とレジストリ命令とを含み、ユーザ・メッセージに含まれるレジストリ命令に応答してデータベース・レコードの作成、メンテナンス、および無効化が実行される、メッセージ・ハンドリング・ユニットと、
（ｃ）レジストリ命令および関連するユーザ識別子を受信するように前記メッセージ・ハンドリング・ユニットに接続されたレジストリ・メンテナンス・ユニットであって、該レジストリ・メンテナンス・ユニットは、閉じたグループの命令タイプに従うレジストリ命令に応答するものであり、各レジストリ命令は、前記送信側ユーザの前記ユーザ識別子と、前記少なくとも１つのフィールドにおいて指名された前記ユーザとの間の一致を確認するため、および前記レジストリ命令と、対象の命令タイプに特有の規則集合との一致を確認するために実施されるテストを条件として、前記レジストリ・メンテナンス・ユニットによって実行され、前記規則集合は、共通の契約協定によって前記システムの全ユーザが遵守する義務を負う規則書を反映し、かつ前記取引の基礎となる前記財産に関連する前記ユーザの権利および義務を厳密に規定する、レジストリ・メンテナンス・ユニットと、
を備える電子取引サポート・システム。
【請求項２】
請求項１に記載のシステムであって、少なくとも１つの命令タイプの前記規則集合は、前記送信側ユーザの前記ユーザ識別子が、前記レコードの前記少なくとも１つのフィールドおよびもう１つの別のフィールドに指名されたユーザに対応することを明記し、それによって、前記取引の基礎となる前記財産に関連する前記権利および義務の幾つかが、前記レコードの２つのフィールドにおいて指名されることにより規定される一致した役割を有する単一のユーザから導出される、システム。
【請求項３】
請求項１または２に記載のシステムであって、前記少なくとも１つのフィールドは、ホールダー・フィールドとプレッジー・ホールダー・フィールドとから構成され、それぞれのレジストリ命令タイプに関する前記規則集合は、ユーザがホールダー・フィールドとプレッジー・ホールダー・フィールドのうちの１つ且つ唯一のフィールドに指名されるものであることを総体的に確かなものとする、システム。
【請求項４】
請求項１ないし３の何れかに記載のシステムであって、前記各々のレコードはさらに、
そこにおいてユーザの一人が指名されてもよいが、ユーザが指名されていなくてもよい、指図側フィールドと、
そこにおいてユーザの一人が指名されてもよいが、ユーザが指名されていなくてもよい、荷受側フィールドと
を含み、
それぞれの前記レジストリ命令タイプの全てに対しての前記規則集合は、一般に、前記指図側フィールドと前記荷受側フィールドとのうちの１つより多くに同時に、１つの指名されたユーザがあることを禁止する、システム。
【請求項５】
請求項１ないし４の何れかに記載のシステムであって、各レコードはさらに、
使用中の各レコードにおける前記ユーザの一つが指名されるオリジネータ・フィールドと、
使用中の各レコードにおけるユーザの１つが指名される荷主フィールドと
を含み、
前記命令タイプには、新規のレコードを作成するための命令タイプがあり、前記レコード作成命令タイプのための前記規則集合は、ユーザがオリジネータ・フィールド、荷主フィールドおよびホールダー・フィールドの各々に指名されること、および前記オリジネータ・フィールドに指名されたユーザが前記送信側ユーザの前記ユーザ識別子に対応することを規定する、
システム。
【請求項６】
請求項３に付加されたときの請求項５に記載のシステムであって、前記レコード作成命令タイプに対する前記規則集合は、新規のレコードの前記プレッジー・ホールダー・フィールドには指名されたユーザがないということを規定する、システム。
【請求項７】
請求項５または６に記載のシステムであって、それぞれの前記レジストリ命令タイプの全てに対する前記規則集合は、共通に、前記オリジネータ・フィールドにおいて指名されたユーザの変更を許可しないという規則を有している、システム。
【請求項８】
請求項４に付加されたときの請求項５、６、または７の何れかに記載のシステムであって、前記レコード作成命令タイプに対する前記規則集合は、レコード作成命令が、（ｉ）前記荷受側フィールドにおいて指名するためのユーザ識別子と、（ｉｉ）前記指図側フィールドにおいて指名するためのユーザ識別子と、（ｉｉｉ）前記荷受側フィールドと前記指図側フィールドとの双方に何れのユーザも指名されないことの指示とのうちの、１つ且つ一つのみのものを含むことを規定する、システム。
【請求項９】
請求項４に付加されたときの請求項５、６、７、または８の何れかに記載のシステムであって、前記レコード作成命令タイプに対する前記規則集合は、前記ホールダー・フィールドにおいて指名されるように指定されたユーザが前記荷受側フィールドまたは前記指図側フィールドのいずれかに指名されるように指定されたユーザに対応しないということを規定する、システム。
【請求項１０】
請求項５ないし９の何れかに記載のシステムであって、前記レジストリ・メンテナンス・ユニットはさらに、レコード作成命令が前記レジストリ・メンテナンス・ユニットによって実行されるときに、前記メッセージ・ハンドリング・ユニットが、作成された前記レコードの前記ホールダー・フィールドにおいて指名されたユーザに対して、該レコードに対する前記ユーザの所有権を表明するメッセージを送信するようにさせ、且つ前記荷主フィールドにおいて指名されたユーザに対して更なるメッセージを送信するようにさせるように構成される、システム。
【請求項１１】
請求項１ないし１０の何れかに記載のシステムであって、前記命令タイプには、前記ホールダー・フィールドにおいて指名されたユーザを変更して、それにより前記レコードの所有権を変更するための少なくとも１つの命令タイプがあり、前記ホールダー指名命令タイプに対する前記規則集合は、前記送信側ユーザの前記ユーザ識別子が前記少なくとも１つのフィールドにおいて現在指名されているユーザに対応するということを規定する、システム。
【請求項１２】
請求項３に付加されたときの請求項１１に記載のシステムであって、前記ホールダー指名命令タイプに対する前記規則集合は、前記送信側ユーザの前記ユーザ識別子が前記ホールダー・フィールドと前記プレッジー・ホールダー・フィールドの一つに現在指名されているユーザに対応するということを規定する、システム。
【請求項１３】
請求項１２に記載のシステムであって、前記命令タイプの中には、前記プレッジー・ホールダー・フィールドにおいて指名されたユーザを変更して、それにより前記レコードの所有権を変更するための少なくとも１つの命令タイプがあり、前記プレッジー・ホールダー指名命令タイプに対する前記規則集合は、前記送信側ユーザの前記ユーザ識別子が前記ホールダー・フィールドと前記プレッジー・ホールダー・フィールドの一つに現在指名されているユーザに対応するということを規定する、システム。
【請求項１４】
請求項４に付加されたときの請求項１３に記載のシステムであって、前記プレッジー・ホールダー指名命令タイプに対する前記規則集合はさらに、
（ａ）前記荷受側フィールドには指名されたユーザが存在してはならず、
（ｂ）前記送信側ユーザの前記ユーザ識別子は、前記命令において前記プレッジー・ホールダーになることを指定されたユーザに対応してはならず、
（ｃ）前記命令の実行の結果として、前記プレッジー・ホールダー・フィールドにおいて指名されたユーザと前記指図側フィールドにおいて指名されたユーザとが一致してはならない、
ということを規定する、
システム。
【請求項１５】
請求項１３または１４に記載のシステムであって、前記レジストリ・メンテナンス・ユニットは、ホールダー指名の命令またはプレッジー・ホールダー指名の命令のそれぞれの実行の後に、前記ホールダー・フィールドまたは前記プレッジー・ホールダー・フィールドにおいて指名された前記ユーザに対して、前記メッセージ・ハンドリング・ユニットから、前記レコードの所有権が前記ユーザへ譲渡された旨を通知するメッセージを送信するように構成される、システム。
【請求項１６】
請求項１ないし１５の何れかに記載のシステムであって、各々の前記レコードは、関連する履歴ファイルを更に含み、前記レジストリ・メンテナンス・ユニットは、少なくとも幾つかのタイプのレジストリ命令を実行して、レジストリ命令の要求に関連するデータを対象となるレコードの前記履歴ファイルに書き込み、前記レコードで要求されている実行の監査追跡を維持するように構成されており、前記システムのユーザが履歴ファイルにアクセスすることを可能とするレジストリ命令タイプは存在しない、システム。
【請求項１７】
請求項３に付加されたときの又は請求項４、または請求項３および４に付加されたときの請求項５ないし１６の何れかに記載のシステムであって、それぞれの前記レジストリ命令タイプの全てに対する前記規則集団は共通に更に、
（ａ）前記プレッジー・ホールダー・フィールドと前記荷受側フィールドの１つよりも多くに同時に、指名されたユーザがあることを禁止し、
（ｂ）前記プレッジー・ホールダー・フィールドにおいて指名されたユーザが前記指図側フィールドにおいて指名されたユーザに対応する状態をレコードが採用することを妨げる、
システム。
【請求項１８】
請求項１７に記載のシステムであって、各々の前記レコードは、該レコードに対しての契約側となっているユーザの時間順のリストが記憶されている関連する裏書連鎖ファイルを更に含み、前記裏書連鎖ファイルは前記レジストリ・メンテナンス・ユニットによって維持され、前記契約側は、（ａ）レコードの前記ホールダー・フィールドおよび前記荷受側フィールドと、（ｂ）レコードの前記ホールダー・フィールドおよび前期指図側フィールドとに同時に指名されたユーザを含むものと規定されている、システム。
【請求項１９】
請求項１８に記載のシステムであって、新規の契約側を作成するために前記レコードが状態を変更するごとに、前記レジストリ・メンテナンス・ユニットは、前記メッセージ・ハンドリング・ユニットが前記新規の契約側である前記ユーザへ前記裏書連鎖のコピーを送付するようにさせるように構成されている、システム。
【請求項２０】
請求項１ないし１９の何れかに記載のシステムであって、前記レジストリ命令は、前記レコードの所有権の変更を表明する、前記少なくとも１つのフィールドに指名されているユーザを変更する結果となる直前のレジストリ命令を無効にするための取引拒否命令タイプを含んでおり、前記レジストリ・メンテナンス・ユニットは、前記レコードをその直前の状態に戻すように変更することによって、取引拒否命令を実行するように構成されており、前記取引拒否命令タイプに対しての前記規則集合は、
（ａ）前記送信側ユーザの前記ユーザ識別子が前記少なくとも１つのフィールドにおいて指名されたユーザに対応すること、および
（ｂ）前記取引拒否命令が、前記直前のレジストリ命令から所定期間内に受け取られること
を規定する、
システム。
【請求項２１】
請求項４に付加されたときの請求項２０に記載のシステムであって、前記取引拒否命令タイプの前記規則集合はさらに、
（ｃ）前記送信側ユーザの前記ユーザ識別子が、前記ホールダー・フィールドにおいて指名されたユーザに対応すること、および
（ｄ）前記送信側ユーザの前記ユーザ識別子が、前記指図側フィールドおよび前記荷受側フィールドの一つにおいて指名されたユーザに対応すること
を規定する、
システム。
【請求項２２】
請求項２０または２１に記載のシステムであって、前記レジストリ・メンテナンス・ユニットは、該レジストリ・メンテナンス・ユニットによる取引拒否命令の実行に続いて、該取引拒否命令の実行後に前記メッセージ・ハンドリング・ユニットから前記少なくとも１つのフィールドにおいて指名されたユーザへ、メッセージが送信されるように構成して、前記レコードの前記所有権を受け入れるための前記直前の命令によって前記ホールダー・フィールドにおいて指名されたユーザの拒否に続いて、前記レコードの前記所有権が前記ユーザに復帰した旨を通知するように構成される、システム。
【請求項２３】
請求項１８に付加されたときの請求項２２に記載のシステムであって、前記レジストリ・メンテナンス・ユニットは、取引拒否命令を実行して、前記直前のレジストリ命令により生じた前記裏書連鎖ファイルにおける何れの変更も取り消すように構成されている、システム。
【請求項２４】
請求項２０ないし２３の何れかに記載のシステムであって、取引拒否命令を実行するための前記所定期間は約２４時間の固定期間である、システム。
【請求項２５】
請求項３および４、またはこれに付加されたときの請求項５ないし２４の何れかに記載のシステムであって、前記レジストリ命令は、前記指図側フィールドにおけるユーザを指名するための命令タイプを含み、前記指図側指名命令タイプに対する前記規則集合は、
（ａ）前記荷受側フィールドに、指名されたユーザが存在しないこと、
（ｂ）前記送信側ユーザの前記ユーザ識別子が、前記ホールダー・フィールドまたは前記プレッジー・ホールダー・フィールドにおいて指名されたユーザに対応すること、および、
（ｃ）前記命令の実行の結果として、前記プレッジー・ホールダー・フィールドにおいて指名されているユーザと前記指図側フィールドにおいて指名されているユーザとが一致してはならない、
ということを規定する、
システム。
【請求項２６】
請求項３および４、またはこれに付加されたときの請求項５ないし２５の何れかに記載のシステムであって、前記レジストリ命令は、前記レコードが譲渡禁止である旨を表明するために前記荷受側フィールドにおいてユーザを指名するための命令タイプを含んでおり、前記荷受側指名命令タイプに対する前記規則集合は、
（ａ）前記荷受側フィールドに、指名されたユーザが存在してはならないこと、
（ｂ）前記送信側ユーザの前記ユーザ識別子が、前記ホールダー・フィールドまたは前記プレッジー・ホールダー・フィールドにおいて指名された前記ユーザに対応すること、および、
（ｃ）前記指図側フィールドには、指名されたユーザがないか、または前記ホールダー・フィールドにおて指名されたユーザがあること、
を規定する、
システム。
【請求項２７】
請求項４、またはこれに付加されたときの請求項５ないし２６の何れかに記載のシステムであって、前記レジストリ命令は、前記レコードの前記指図側フィールドにおいて指名されたユーザを削除することによって前記レコードを白地裏書とするための命令タイプを含み、前記白地裏書命令タイプの前記規則集合は、
（ａ）前記送信側ユーザの前記ユーザ識別子が、前記ホールダー・フィールドにおいて指名されたユーザに対応すること、
（ｂ）前記送信側ユーザの前記ユーザ識別子が、前記指図側フィールドにおいて指名されたユーザに対応すること
を規定する、
システム。
【請求項２８】
請求項３および４、またはこれに付加されたときの請求項５ないし２７の何れかに記載のシステムであって、前記レジストリ命令は、（ｉ）前記プレッジー・ホールダー・フィールドにおいて指定されたユーザを、前記指図側フィールドにおいて指定されたユーザとして指名し、（ｉｉ）前記プレッジー・ホールダー・フィールドにおいて指定されたユーザを削除して該ユーザを代わりに前記ホールダー・フィールドにおいて指名することによって、レコードの抵当を強制するための命令タイプを含み、前記抵当強制命令タイプに対する前記命令集合は、前記送信側ユーザの前記ユーザ識別子が前記プレッジー・ホールダー・フィールドにおいて指名されたユーザと対応するということを規定する、システム。
【請求項２９】
請求項５ないし１０の何れか、またはこれに付加されたときの請求項１１ないし２８の何れかに記載のシステムであって、前記レジストリ命令は、前記システムによる取引の電子的サポートから、前記システムの外側の取引の従来の紙を用いたサポートへと切り換えるための命令タイプを含み、
紙への切換え命令に対しての前記規則集合は、前記送信側ユーザの前記ユーザ識別子が前記少なくとも１つのフィールドにおいて指名されたユーザに対応することを規定し、
前記レジストリ・メンテナンス・ユニットは、紙への切換え命令を実行することで、対象となるレコードを無効化し、前記メッセージ・ハンドリング・ユニットから前記オリジネータ・フィールドにおいて指名されたユーザへメッセージを送信させ、前記メッセージの一部として含まれる無効化された前記レコードのコンテンツに基づいて紙の書類を作成することを要求するように、構成される、
システム。
【請求項３０】
請求項４、またはこれに付加されたときの請求項５ないし２９の何れかに記載のシステムであって、各々の前記レコードは、ユーザの一つが指名されてもよく、また、指名されたユーザがなくてもよい引渡側フィールドを更に含み、前記レジストリ命令は、前記取引の基礎となる前記財産の処分を表明するための、前記レコードを引き渡すための命令タイプを含み、前記レジストリ・メンテナンス・ユニットは、前記レコードを無効化することによってレコード引渡命令を実行するように構成され、前記レコード引渡命令タイプに対しての前記規則集合は、前記送信側ユーザの前記ユーザ識別子が、（ａ）前記ホールダー・フィールドにおいて指名されたユーザ、および（ｂ）前記指図側フィールドおよび前記荷受側フィールドの１つにおいて指名されているユーザに対応するということを規定する、システム。
【請求項３１】
請求項３０に記載のシステムであって、前記レジストリ・メンテナンス・ユニットはさらに、引渡しのレジストリ命令タイプを含むメッセージが実施されるとき、前記レジストリ・メンテナンス・ユニットは、前記メッセージ・ハンドリング・ユニットに、前記オリジネータ・フィールドにおいて指名されたユーザおよび前記引渡側フィールドにおいて指名された何れものユーザへ、前記レコードが無効化されたことを示すメッセージを送信させるようにするよう構成されている、システム。
【請求項３２】
請求項２９に付加されたときの請求項３０または３１に記載のシステムであって、前記レジストリ・メンテナンス・ユニットは、紙への切換え命令を実行して、前記メッセージ・ハンドリング・ユニットから前記オリジネータ・フィールドにおいて指名されたユーザおよび前記引渡側フィールドにおいて指名された何れものユーザへメッセージが送信されるようにするよう構成されている、システム。
【請求項３３】
請求項５ないし１０の何れか、またはこれに付加されたときの請求項１１ないし３２の何れかに記載のシステムであって、前記レジストリ命令は、レコードの修正の要求、修正の承認、および修正を拒否のための命令タイプを更に含み、
前記修正要求命令タイプに対しての前記規則集合は、前記送信側ユーザの前記ユーザ識別子が前記少なくとも１つのフィールドにおいて指名されたユーザに対応することを規定し、
前記レジストリ・メンテナンス・ユニットは、前記修正要求命令を実行して、前記修正要求命令に修正識別子を割り当てて該修正識別子を記録し、前記メッセージ・ハンドリング・ユニットに、前記レコードの前記オリジネータ・フィールドにおいて指名されたユーザへメッセージを送信させるようにするよう構成され、前記メッセージは、前記修正要求命令およびそれに割当てられた前記修正識別子とを含み、
前記修正承認命令タイプおよび修正拒否命令タイプに対しての前記規則集合は、それぞれ、前記送信側ユーザの前記ユーザ識別子が、前記オリジネータ・フィールドにおいて指名されたユーザに対応すること、および前記命令を含む前記メッセージが、対象となるレコードに対して記憶された前記修正識別子に対応する修正識別子を含むことを規定する、
システム。
【請求項３４】
請求項３３に記載のシステムであって、各々の前記レコードは、修正要求命令が懸案中であるか否かを示す修正懸案フィールドを更に含み、前記レジストリ・メンテナンス・ユニットは、修正要求命令に応答して前記修正懸案フィールドを設定し、また、修正承認命令または修正拒否命令に応答して前記修正懸案フィールドの設定を設定解除するように構成され、前記レジストリ・メンテナンス・ユニットは、前記修正懸案フィールドが設定されている間は前記レコードの変更を阻止するように構成されている、システム。
【請求項３５】
請求項３３または３４に記載のシステムであって、前記レジストリ・メンテナンス・ユニットは、修正拒否命令を実行して、前記修正要求命令を発した前記ユーザへメッセージを送り、前記オリジネータ・フィールドにおいて指名されたユーザが前記修正要求命令に応答して修正拒否命令を発した旨を示すように構成されている、システム。
【請求項３６】
請求項３３、３４または３５の何れかに記載のシステムであって、修正承認命令は、該修正承認命令のコンテンツに応じて、前記レジストリ・メンテナンス・ユニットによって実行され、それにより、
（ａ）複数の既存のレコードが、それらの無効化および一つの新規のレコードの作成によって、マージされること、
（ｂ）一つの既存のレコードが、該一つの既存のレコードの無効化および複数の新規のレコードの作成によって、複数のレコードへと分割されること、
（ｃ）一つの既存のレコードが維持されること、および、
（ｄ）一つの既存のレコードが無効化され、別の一つのレコードが作成されること、
のうちの１つの結果になる、
システム。